【手続補正書】
【提出日】平成25年11月22日(2013.11.22)
【手続補正１】
【補正対象書類名】明細書
【補正対象項目名】００７６
【補正方法】変更
【補正の内容】
【００７６】
非球面データ
第21面
K =-1.07833e+002  A 4= 3.60350e-006  A 6=-7.00622e-010  A 8=-1.42258e-012
A10= 2.58562e-015  A12=-9.84999e-019  
第23面
K =-1.16441e+012  A 4=-1.24941e-005  A 6=-1.03691e-008  A 8= 1.00768e-011
A10= 3.02421e-015  
第28面
K =-1.37233e+001  A 4= 6.53390e-006  A 6= 5.79236e-009  A 8=-2.37693e-012
A10=-8.63406e-015  A12= 7.76432e-018  
第35面
K =-9.25857e+000  A 4= 1.86882e-006  A 6=-1.59493e-009  A 8= 4.52599e-013
A10= 8.55681e-016  A12=-9.64587e-019  
各種データ
ズーム比     11.48 
焦点距離      10.26    32.43    58.95    89.33   117.82  
Fナンバー      1.84     1.84     1.84     1.84     1.97  
半画角（度）   37.95    13.86     7.73     5.12     3.88  
像高           8.00     8.00     8.00     8.00     8.00  
レンズ全長   564.47   564.47   564.47   564.47   564.47  
BF             9.81     9.81     9.81     9.81     9.81  
d20            3.91    84.27   109.39   122.33   128.92  
d30          131.36    31.51     5.66     1.95     6.97  
d33            3.20    22.03    22.62    13.52     2.04  
d52           11.57    12.22    12.35    12.23    12.11  
入射瞳位置   103.60   190.05   262.61   328.34   376.56  
射出瞳位置   920.84   920.19   920.05   920.17   920.29  
前側主点位置 113.98   223.64   325.38   426.43   509.63  
後側主点位置  -0.45   -22.62   -49.14   -79.52  -108.01  
ズームレンズ群データ
群  始面    焦点距離  レンズ構成長  前側主点位置  後側主点位置
1    1     109.10       185.13       130.72         77.53
2   21     -40.63        38.38         5.06        -24.73
3   31    -158.58         4.60        -0.98         -3.54
4   34      75.12       107.51        80.96        -66.80
G   53       ∞          69.00        21.00        -21.00
単レンズデータ
レンズ  始面  焦点距離
1       1   -293.55
2       3   -304.80
3       5   -151.40
4       7    198.32
5       9    1354.89
6      11    207.71
7      12   -391.62
8      14   -181.07
9      15    184.33
10      17    209.24
11      19    385.98
12      21    -62.02
13      23    -92.02
14      25     45.24
15      26    -68.14
16      28    860.06
17      29   -185.64
18      31    -92.56
19      32    226.27
20      35     59.78
21      36    -59.28
22      38     70.68
23      39   -257.08
24      41     79.07
25      43    -35.28
26      44     77.76
27      46    187.62
28      48     62.13
29      49    -45.55
30      51     63.24
31      53      0.00
32      54      0.00
【手続補正２】
【補正対象書類名】明細書
【補正対象項目名】００７８
【補正方法】変更
【補正の内容】
【００７８】
非球面データ
第21面
K =-5.34894e+001  A 4= 3.11630e-006  A 6= 1.37440e-009  A 8=-5.49735e-012
A10= 8.10530e-015  A12=-4.29400e-018  
第23面
K =-9.42642e+011  A 4=-1.55957e-005  A 6=-8.86145e-009  A 8= 1.41958e-011
A10= 5.92689e-015  
第28面
K =-4.65785e+001  A 4= 7.12735e-006  A 6= 7.08669e-009  A 8=-1.39051e-011
A10= 6.71270e-015  A12=-3.12588e-018  
第35面
K =-8.66826e+000  A 4= 1.64749e-006  A 6=-1.50285e-009  A 8= 5.90584e-013
A10= 3.20965e-016  A12=-4.34636e-019  
各種データ
ズーム比     11.50 
焦点距離      10.26    32.72    59.13    89.28   118.00  
Fナンバー      1.84     1.89     1.91     1.91     2.05  
半画角（度）   37.94    13.74     7.70     5.12     3.88  
像高           8.00     8.00     8.00     8.00     8.00  
レンズ全長   565.05   565.05   565.05   565.05   565.05  
BF             9.96     9.96     9.96     9.96     9.96  
d20            4.90    78.12   103.55   117.09   124.10  
d30          129.50    29.49     5.25     2.00     6.28  
d33            2.00    16.26    17.45    10.80     2.08  
d40           51.37    49.93    44.14    39.24    36.19  
d47            1.79    14.44    18.18    20.00    20.89  
d52           11.06    12.37    12.05    11.48    11.07  
入射瞳位置   109.61   188.96   259.53   329.73   386.74  
射出瞳位置   323.53   240.00   281.00   343.45   402.37  
前側主点位置 120.21   226.34   331.57   442.91   540.22  
後側主点位置  -0.30   -22.76   -49.17   -79.32  -108.04  
ズームレンズ群データ
群  始面    焦点距離  レンズ構成長  前側主点位置  後側主点位置
1    1     109.38       184.83       133.20         69.20
2   21     -39.54        34.62         2.53        -25.77
3   31    -129.74         4.60        -0.16         -2.69
4   34      84.29        21.72         4.03        -10.71
5   41     380.95        20.02        23.39         11.78
6   48      88.04        19.69         7.04         -5.78
G   53       ∞          69.00        21.00        -21.00
単レンズデータ
レンズ  始面  焦点距離
1       1   -350.76
2       3   -222.08
3       5   -180.50
4       7    200.29
5       9    1563.36
6      11    223.48
7      12   -508.54
8      14   -218.85
9      15    216.23
10      17    226.15
11      19    366.97
12      21    -55.89
13      23    -90.88
14      25     57.70
15      26    -68.92
16      28    408.17
17      29   -584.33
18      31    -80.96
19      32    217.40
20      35     55.79
21      36    -54.68
22      38     64.00
23      39   -255.73
24      41     78.10
25      43    -34.28
26      44     76.54
27      46    193.79
28      48     62.99
29      49    -52.51
30      51     70.63
31      53      0.00
32      54      0.00
【手続補正３】
【補正対象書類名】明細書
【補正対象項目名】００８０
【補正方法】変更
【補正の内容】
【００８０】
非球面データ
第21面
K =-5.42851e+001  A 4= 6.10195e-007  A 6= 1.33912e-009  A 8=-3.46471e-012
A10= 2.25922e-015  A12=-1.16526e-018  
第23面
K =-8.88662e+011  A 4=-4.71106e-006  A 6=-1.10397e-008  A 8= 7.79524e-012
A10= 1.05223e-014  
第28面
K =-8.56471e+000  A 4= 5.69819e-006  A 6= 6.14121e-009  A 8=-1.13450e-013
A10=-7.09504e-015  A12= 8.86924e-018  
第35面
K =-6.91952e+000  A 4= 1.57747e-006  A 6=-1.27029e-009  A 8= 9.23707e-013
A10=-7.26980e-016  A12= 3.81888e-019  
各種データ
ズーム比     11.47 
焦点距離      10.24    32.56    58.85    88.95   117.54  
Fナンバー      1.84     1.91     1.93     1.94     2.04  
半画角（度）   37.99    13.80     7.74     5.14     3.89  
像高           8.00     8.00     8.00     8.00     8.00  
レンズ全長   572.32   572.32   572.32   572.32   572.32  
BF            10.43    10.43    10.43    10.43    10.43  
d20            6.68    75.85    99.04   111.27   117.56  
d30          126.45    27.85     4.52     2.28     7.31  
d33            2.18    19.49    20.05    11.96     2.09  
d40           51.98    49.79    45.30    41.79    39.67  
d47            0.65    14.97    19.05    20.65    21.31  
入射瞳位置   111.79   192.09   263.20   333.29   389.26  
射出瞳位置   358.51   271.50   302.35   346.76   384.61  
前側主点位置 122.33   228.71   333.91   445.77   543.72  
後側主点位置   0.19   -22.13   -48.42   -78.52  -107.11  
ズームレンズ群データ
群  始面    焦点距離  レンズ構成長  前側主点位置  後側主点位置
1    1     103.93       187.66       132.60         65.93
2   21     -37.62        39.90         2.77        -29.04
3   31    -144.16         4.60        -0.38         -2.92
4   34      87.95        22.03         3.62        -11.39
5   41     315.38        20.02        22.09         10.59
6   48      94.12        19.69         6.98         -5.80
G   53       ∞          69.00        21.00        -21.00
単レンズデータ
レンズ  始面  焦点距離
1       1   -358.00
2       3   -270.88
3       5   -163.02
4       7    203.99
5       9    1392.00
6      11    196.90
7      12   -390.46
8      14   -182.87
9      15    189.39
10      17    218.02
11      19    337.64
12      21    -48.77
13      23    -80.30
14      25     39.18
15      26    -46.32
16      28    305.55
17      29   -509.85
18      31    -87.86
19      32    227.59
20      35     58.68
21      36    -57.69
22      38     69.38
23      39   -309.37
24      41     80.72
25      43    -34.47
26      44     72.04
27      46    198.74
28      48     64.57
29      49    -51.08
30      51     69.95
31      53      0.00
32      54      0.00
【手続補正４】
【補正対象書類名】明細書
【補正対象項目名】００８２
【補正方法】変更
【補正の内容】
【００８２】
非球面データ
第21面
K =-2.22986e+000  A 4=-2.19298e-007  A 6=-4.18697e-010  A 8=-1.05182e-013
A10= 1.74620e-016  
第32面
K = 1.05639e+001  A 4=-1.08639e-006  A 6=-7.33608e-011  A 8=-1.34916e-013
A10=-1.15160e-016  
第45面
K = 5.01453e+002  A 4= 4.44844e-007  A 6= 2.11058e-010  A 8= 1.59689e-013
A10= 5.17543e-017  
各種データ
ズーム比     11.65 
広角     中間     望遠
焦点距離      10.17    56.88   118.50  
Fナンバー      1.87     2.00     2.05  
半画角（度）   38.18     8.01     3.86  
像高           8.00     8.00     8.00  
レンズ全長   555.52   556.64   556.84  
BF            13.86    15.01    15.17  
d20            1.30    97.55   121.61  
d30          140.68    25.82     3.81  
d37           45.00    51.27    59.53  
d42            0.55     1.90     0.55  
d47            3.37    14.33     5.41  
d50           13.86    15.01    15.17  
入射瞳位置   105.00   263.86   416.43  
射出瞳位置   629.59   315.32   207.43  
前側主点位置 115.34   331.51   607.98  
後側主点位置   3.68   -41.87  -103.34  
ズームレンズ群データ
群  始面    焦点距離  レンズ構成長  前側主点位置  後側主点位置
1    1     115.01       188.13       125.71         61.78
2   21     -38.61        38.50         3.60        -33.50
3   31     280.49        11.08       -14.12        -20.55
4   38     138.42        19.50         8.31         -4.44
5   43     106.95        24.56        14.80         -2.06
G   48       ∞          69.00        21.00        -21.00
単レンズデータ
レンズ  始面  焦点距離
1       1   -276.78
2       3   -289.12
3       5   -208.01
4       7    232.24
5       9    657.88
6      11    214.49
7      12   -311.24
8      14   -269.05
9      15    192.81
10      17    238.66
11      19    565.84
12      21    -78.79
13      23    -96.20
14      25   -277.63
15      27    -70.73
16      29     76.12
17      32    348.82
18      34    262.56
19      36   -287.24
20      38    169.40
21      40    -74.65
22      41     68.92
23      43     80.51
24      44    -60.09
25      46     75.69
26      48      0.00
27      49      0.00
【手続補正５】
【補正対象書類名】明細書
【補正対象項目名】００８４
【補正方法】変更
【補正の内容】
【００８４】
非球面データ
第8面
K = 5.74945e+000  A 4= 2.46947e-006  A 6=-9.48170e-010  A 8= 2.45691e-013
A10=-1.65534e-017  
第11面
K =-1.12276e+000  A 4= 2.39227e-006  A 6=-1.39689e-009  A 8= 4.08773e-012
A10=-7.37347e-015  
第15面
K = 4.12997e+002  A 4= 8.30323e-007  A 6=-2.08567e-010  A 8= 8.84953e-013
A10=-9.61624e-016  A12= 2.08342e-019  
第18面
K =-7.25070e+000  A 4= 1.17569e-006  A 6=-9.05415e-010  A 8=-5.70160e-013
A10= 1.14771e-015  A12=-6.28781e-019  
第36面
K = 1.09749e+000  A 4= 9.03254e-007  A 6= 4.10726e-010  A 8=-6.59253e-013
A10= 1.15222e-015  A12=-7.83324e-019  
各種データ
ズーム比     12.29 
広角     中間     望遠
焦点距離      10.41    69.47   127.95  
Fナンバー      1.88     3.60     4.00  
半画角（度）   37.55     6.57     3.58  
像高           8.00     8.00     8.00  
レンズ全長   566.08   571.93   614.63  
BF             0.59     0.61     0.60  
d 7            8.00    58.20   119.17  
d17          250.48    27.52     2.90  
d28            1.04   183.41   176.08  
d36           16.37    12.60    26.28  
d39            0.59     0.61     0.60  
入射瞳位置    86.44   181.55   481.82  
射出瞳位置   13157.34   108.92    97.51  
前側主点位置  96.86   295.57   778.70  
後側主点位置  -9.81   -68.86  -127.34  
ズームレンズ群データ
群  始面    焦点距離  レンズ構成長  前側主点位置  後側主点位置
1    1     227.84        46.18        23.50         -5.10
2    8     -38.37        61.33         1.86        -58.86
3   18     118.14        79.22        45.73        -33.33
4   29     100.03        33.87        32.51          8.84
G   37       ∞          69.00        21.00        -21.00
単レンズデータ
レンズ  始面  焦点距離
1       1   -257.74
2       2    347.47
3       4    396.63
4       6    364.77
5       8    -52.59
6      10   -105.76
7      12    177.87
8      13   -119.50
9      15    171.05
10      16   -677.78
11      18     50.39
12      20    -54.43
13      23    111.99
14      25     79.54
15      27    -68.32
16      29    201.99
17      31    -37.21
18      33     81.81
19      35     62.26
20      37      0.00
21      38      0.00